(57)【要約】【課題】  別途な回線を要せず、仮想ＬＡＮドメインの設定を変えることなく転送が可能な特定仮想ＬＡＮ転送機器を提供する。【解決手段】  特定のＶＩＤを転送先となる仮想ＬＡＮドメインの拡張ＶＩＤに対応付けて登録した特定ＶＩＤテーブルを有し、受信したフレームに格納されているＶＩＤで特定ＶＩＤテーブルを参照することにより、このフレームを転送する仮想ＬＡＮドメインを決定する。【選択図】        図２
2005151020.tif 000002
【特許請求の範囲】
【請求項１】
仮想ＬＡＮドメインの識別番号が異なる複数の仮想ＬＡＮドメインが収容され、各々の仮想ＬＡＮドメインに１つ以上の仮想ＬＡＮが設定されている拡張ＶＬＡＮ網の中で、ある仮想ＬＡＮドメインからのフレームを別の仮想ＬＡＮドメインへ転送するための特定仮想ＬＡＮ転送機器であって、特定の仮想ＬＡＮの識別番号と転送先となる仮想ＬＡＮドメインの識別番号とを対応付けて登録した特定ＶＩＤテーブルを有し、受信したフレームに格納されている仮想ＬＡＮの識別番号で特定ＶＩＤテーブルを参照することにより、このフレームを転送する仮想ＬＡＮドメインを決定することを特徴とする特定仮想ＬＡＮ転送機器。
【請求項２】
仮想ＬＡＮドメインと該仮想ＬＡＮドメインに属するポートの番号とを対応付けて登録したポート所属テーブルを有し、このテーブルにより上記フレームを転送するポートを決定することを特徴とする請求項１記載の特定仮想ＬＡＮ転送機器。
【請求項３】
ポート毎にそのポートで送受信するフレームの形式を設定したフレーム形式テーブルを有し、このフレーム形式テーブルにより転送するフレームの形式を変換することを特徴とする請求項１又は２記載の特定仮想ＬＡＮ転送機器。
【請求項４】
上記フレーム形式テーブルは、拡張仮想ＬＡＮフレームか仮想ＬＡＮフレームかを設定していることを特徴とする請求項３記載の特定仮想ＬＡＮ転送機器。
【請求項５】
上記フレームを転送するときに、フレーム末尾のチェックコードを再計算して書き替えることを特徴とする請求項１〜４いずれか記載の特定仮想ＬＡＮ転送機器。
【発明の詳細な説明】
【技術分野】
【０００１】
本発明は、複数の仮想ＬＡＮドメインが収容されている拡張仮想ＬＡＮ網において、ある仮想ＬＡＮドメインのフレームを別の仮想ＬＡＮドメインへ転送するための特定仮想ＬＡＮ転送機器に係り、特に、別途な回線を要せず、仮想ＬＡＮドメインの設定を変えることなく転送が可能な特定仮想ＬＡＮ転送機器に関するものである。
【背景技術】
【０００２】
ＩＥＥＥ（米国電気電子技術者協会）８０２．１Ｑにより規定される仮想ＬＡＮ（以下、ＶＬＡＮという）では、ＶＬＡＮグループを識別するための識別番号であるＶＬＡＮＩＤ（以下、ＶＩＤと略す）及びＶＬＡＮのプロトコルタイプを区別する情報であるＴＰＩＤをフレームのヘッダ部に付けることにより、このフレームを適切に中継し、そのＶＬＡＮグループに属する端末のみがフレームを送受信できるようにしている。ＶＩＤとＴＰＩＤとを合わせてＶＬＡＮタグという。ＶＬＡＮタグを付けたフレームをＶＬＡＮフレームという。互いに異なるＶＩＤを使用することにより、１つの共通したＬＡＮ上で複数のＶＬＡＮを互いに独立に形成することができる。ＶＬＡＮフレーム内のＶＩＤフィールドは１２ｂｉｔ長なので、約４千種類の異なるＶＩＤを作ることができる。つまり、１つの共通したＬＡＮ上で約４千個のＶＬＡＮを運用することができる。互いに独立したＬＡＮのそれぞれにおいてＶＬＡＮを構築する場合は、両方のＬＡＮ（これらは、ポリシーが異なるＶＬＡＮドメインと表現される）に同じＶＩＤが使用されても、相互に差し支えはない。
【０００３】
図３に、ＶＬＡＮフレームの構造の一部を示す。図示のように、ＶＬＡＮフレームは、ＶＬＡＮフレームでない通常のフレームと同様の送信先アドレスのフィールド３１、送信元アドレスのフィールド３２、タイプのフィールド３３などを有し、さらにＶＬＡＮタグとして、ＴＰＩＤのフィールド３４とＶＩＤのフィールド３５を有する。
【０００４】
一方、長距離伝送路を持つ大規模なネットワークを形成し、この大規模ネットワークに同一のＶＬＡＮドメインに所属する地理的に離れている複数のネットワークを接続することにより、それぞれのネットワークを相互接続することができる。以下では、大規模ネットワークを介して相互接続されるネットワークをＶＬＡＮ網と呼ぶことにする。この大規模なネットワークを介在することにより、今まで相互接続していなかった複数のＶＬＡＮ網が相互接続されることになる。
【０００５】
ところが、大規模ネットワークに複数のＶＬＡＮ網を収容する場合、異なるＶＬＡＮドメインにおいて設定されているＶＬＡＮのＶＩＤが同じ値であれば、この大規模ネットワークの中ではＶＬＡＮフレームがどのＶＬＡＮドメインのＶＬＡＮフレームかをＶＩＤの値から一意に識別することはできない。
【０００６】
そのため、複数のＶＬＡＮドメインを大規模ネットワークに収容するときには、大規模ネットワークの中で各ＶＬＡＮドメインを区別するために、ＶＬＡＮドメイン毎に１つの識別番号（拡張ＶＩＤという）を設定する。そして、大規模ネットワーク中ではこの識別番号を用いてのみＶＬＡＮフレームを識別する。以下では、各ＶＬＡＮドメインを識別するために拡張ＶＩＤを設定している大規模ネットワークのことを拡張ＶＬＡＮ網と呼ぶことにする。この拡張ＶＬＡＮ網において、拡張ＶＩＤが異なる別々のＶＬＡＮドメインは相互に通信することはできない。
【０００７】
拡張ＶＬＡＮ網では、前記のＶＬＡＮタグを付けたＶＬＡＮフレームにさらに拡張ＶＬＡＮタグ（拡張ＶＩＤ及びＴＰＩＤ）を付けて拡張ＶＬＡＮフレームとする。拡張ＶＬＡＮ網は、接続機器を提供するメーカが独自に規定するものであり、拡張ＶＬＡＮフレームにおけるＴＰＩＤは、その拡張ＶＬＡＮ網の種類（メーカ規格）を示すものである。
【０００８】
図４に、拡張ＶＬＡＮフレームの構造の一部を示す。図３のＶＬＡＮフレームと比較すると、フィールド３１〜３５を有するＶＬＡＮフレームに、拡張ＶＬＡＮタグとして、拡張ＶＬＡＮ用のＴＰＩＤのフィールド４１と拡張ＶＩＤのフィールド４２が追加されていることがわかる。
【０００９】
また、拡張ＶＬＡＮ網では、ＶＬＡＮフレームに拡張ＶＬＡＮタグを付加して拡張ＶＬＡＮフレームにしている。そして、この拡張ＶＬＡＮフレームが拡張ＶＬＡＮ網から外へ出るときは、拡張ＶＬＡＮタグが取り外され、拡張ＶＬＡＮフレームがＶＬＡＮフレームになる。
【００１０】
この拡張ＶＬＡＮ網において、あるＶＬＡＮドメインがインターネット接続などのために、そのインターネット接続サービスを提供している別のＶＬＡＮドメインと相互に通信したい場合は、拡張ＶＬＡＮ網を介して拡張ＶＩＤが異なるＶＬＡＮドメインとは通信できないため、新たに回線を確保する必要がある。
【００１１】
なお、この技術分野の先行技術文献としては、特許文献１がある。
【００１２】
【特許文献１】特開２００２−１６４９３７号公報
【発明の開示】
【発明が解決しようとする課題】
【００１３】
既に述べたように、拡張ＶＬＡＮ網では、拡張ＶＩＤが異なるＶＬＡＮドメイン同士は相互に通信することができない。従って、拡張ＶＬＡＮ網に接続しているＶＬＡＮドメインは、インターネット接続などのために拡張ＶＬＡＮ網における拡張ＶＩＤが異なる公共のＶＬＡＮドメインと通信することができない。そのため、拡張ＶＩＤが異なる公共のＶＬＡＮドメインに接続するためには、別途、回線を用意し、公共のＶＬＡＮドメインに接続するための伝送路を確保する必要がある。新たに別の回線を用意するということは、各組織においてコストや管理の面で負荷が増加することになる。
【００１４】
そこで、本発明の目的は、上記課題を解決し、別途な回線を要せず、仮想ＬＡＮドメインの設定を変えることなく転送が可能な特定仮想ＬＡＮ転送機器を提供することにある。
【課題を解決するための手段】
【００１５】
上記目的を達成するために本発明は、仮想ＬＡＮドメインの識別番号が異なる複数の仮想ＬＡＮドメインが収容され、各々の仮想ＬＡＮドメインに１つ以上の仮想ＬＡＮが設定されている拡張ＶＬＡＮ網の中で、ある仮想ＬＡＮドメインからのフレームを別の仮想ＬＡＮドメインへ転送するための特定仮想ＬＡＮ転送機器であって、特定の仮想ＬＡＮの識別番号と転送先となる仮想ＬＡＮドメインの識別番号とを対応付けて登録した特定ＶＩＤテーブルを有し、受信したフレームに格納されている仮想ＬＡＮの識別番号で特定ＶＩＤテーブルを参照することにより、このフレームを転送する仮想ＬＡＮドメインを決定するものである。
【００１６】
仮想ＬＡＮドメインと該仮想ＬＡＮドメインに属するポートの番号とを対応付けて登録したポート所属テーブルを有し、このポート所属テーブルにより上記フレームを転送するポートを決定してもよい。
【００１７】
ポート毎にそのポートで送受信するフレームの形式を設定したフレーム形式テーブルを有し、このフレーム形式テーブルにより転送するフレームの形式を変換してもよい。
【００１８】
上記フレーム形式テーブルは、拡張仮想ＬＡＮフレームか仮想ＬＡＮフレームかを設定してもよい。
【００１９】
上記フレームを転送するときに、フレーム末尾のチェックコードを再計算して書き替えてもよい。
【発明の効果】
【００２０】
本発明は次の如き優れた効果を発揮する。
【００２１】
（１）別途な回線を使わずに、仮想ＬＡＮドメインのフレームを別の仮想ＬＡＮドメインへ転送することができる。
【００２２】
（２）仮想ＬＡＮドメインの設定を変えることなく転送が可能である。
【発明を実施するための最良の形態】
【００２３】
以下、本発明の一実施形態を添付図面に基づいて詳述する。
【００２４】
図１に示されるように、本発明に係る装置である特定ＶＬＡＮ転送機器９は、拡張ＶＩＤが異なる複数の仮想ＬＡＮドメインが拡張ＶＬＡＮ網に収容され、各々の仮想ＬＡＮドメインにおいて１つ以上の仮想ＬＡＮが設定されている拡張ＶＬＡＮ網の中で、あるＶＬＡＮドメインのフレームを別のＶＬＡＮドメインへ転送するための特定仮想ＬＡＮ転送機器９であって、特定のＶＩＤを転送先となる仮想ＬＡＮドメインの拡張ＶＩＤに対応付けて登録した特定ＶＩＤテーブルを有し、受信したフレームに格納されているＶＩＤで特定ＶＩＤテーブルを参照することにより、このフレームを転送するＶＬＡＮドメインを決定するものである。即ち、特定ＶＬＡＮ転送機器９は、あるＶＬＡＮドメインにおいて特定のＶＩＤを持つ拡張ＶＬＡＮフレームを拡張ＶＩＤの異なる別のＶＬＡＮドメインへ転送するために、受信した拡張ＶＬＡＮフレームに格納されているＶＩＤに基づいて転送先の拡張ＶＩＤを決定し、そのフレームを転送する。転送先決定の詳しい手順は、後述する。
【００２５】
図１に示されるように、１つの拡張ＶＬＡＮ網１と７つのＶＬＡＮ網２〜８がある。即ち、ある会社Ａの本店のＶＬＡＮ網であるＡ社本店ＶＬＡＮ網２、その会社Ａの支店のＶＬＡＮ網であるＡ社支店ＶＬＡＮ網３、別の会社Ｂの本店のＶＬＡＮ網であるＢ社本店ＶＬＡＮ網４、その会社Ｂの支店のＶＬＡＮ網であるＢ社支店ＶＬＡＮ網５がそれぞれ拡張ＶＬＡＮ網１に接続されている。また、公共のサービスを提供する３つの公共のＶＬＡＮ網６〜８があり、そのうち、公共１ＶＬＡＮ網６と公共２ＶＬＡＮ網７はそれぞれ拡張ＶＬＡＮ網１に接続され、公共３ＶＬＡＮ網８は本発明に係る特定ＶＬＡＮ転送機器９を介して拡張ＶＬＡＮ網１に接続されている。
【００２６】
拡張ＶＬＡＮ網１において、Ａ社本店ＶＬＡＮ網２とＡ社支店ＶＬＡＮ網３とをＡ社ＶＬＡＮドメイン１１とし、このＡ社ＶＬＡＮドメイン１１の拡張ＶＩＤを０ｘ００Ａとする。また、拡張ＶＬＡＮ網１において、Ｂ社本店ＶＬＡＮ網４とＢ社支店ＶＬＡＮ網５とをＢ社ＶＬＡＮドメイン１２とし、このＢ社ＶＬＡＮドメイン１２の拡張ＶＩＤを０ｘ００Ｂとする。さらに、拡張ＶＬＡＮ網１において、公共１ＶＬＡＮ網６を公共１ＶＬＡＮドメイン１３とし、この公共１ＶＬＡＮドメイン１３の拡張ＶＩＤを０ｘ００１とする。同様に、公共２ＶＬＡＮ網７を公共２ＶＬＡＮドメイン１４とし、この公共２ＶＬＡＮドメイン１４の拡張ＶＩＤを０ｘ００２とする。そして、公共３ＶＬＡＮ網８を公共３ＶＬＡＮドメイン１５とし、この公共３ＶＬＡＮドメイン１５の拡張ＶＩＤを０ｘ００３とする。
【００２７】
なお、図１は、個々のＶＬＡＮドメイン１１〜１５や特定ＶＬＡＮ転送機器９が大規模ネットワークである拡張ＶＬＡＮ網１に接続されているイメージを明らかにするために、拡張ＶＬＡＮ網１を示す楕円の外側に、各ＶＬＡＮドメイン１１〜１５を示す楕円や特定ＶＬＡＮ転送機器９を示すボックスを配置し、伝送路を示す直線で結んだが、これらのＶＬＡＮドメイン１１〜１５や特定ＶＬＡＮ転送機器９は、論理的には拡張ＶＬＡＮ網１に収容されているのであり、図１全体が拡張ＶＬＡＮ網１を形成していることになる。
【００２８】
拡張ＶＬＡＮ網１の中では拡張ＶＩＤが上記の如く設定されるので、この拡張ＶＬＡＮ網１に直接接続されているＶＬＡＮドメイン（Ａ社ＶＬＡＮドメイン１１、Ｂ社ＶＬＡＮドメイン１２、公共１ＶＬＡＮドメイン１３、公共２ＶＬＡＮドメイン１４）から送信されるフレームは、図４の拡張ＶＬＡＮフレームとなる。一方、公共３ＶＬＡＮドメイン１５から送信されるフレームは、図３のＶＬＡＮフレームとなり、特定ＶＬＡＮ転送機器９において拡張ＶＬＡＮフレームに変換される。
【００２９】
図１の＃１，＃２，＃３は、特定ＶＬＡＮ転送機器９のポートを表している。即ち、ポート＃１，＃２は拡張ＶＬＡＮ網１と接続され、ポート＃３は公共３ＶＬＡＮドメイン１５と接続されている。
【００３０】
特定ＶＬＡＮ転送機器９において、ポート＃１は、拡張ＶＩＤが０ｘ００ＡのＡ社ＶＬＡＮドメイン１１と拡張ＶＩＤが０ｘ００ＢのＢ社ＶＬＡＮドメイン１２に属しているとする。ポート＃２は、拡張ＶＩＤが０ｘ００１の公共１ＶＬＡＮドメイン１３と拡張ＶＩＤが０ｘ００２の公共２ＶＬＡＮドメイン１４に属しているとする。ポート＃３は、拡張ＶＩＤが０ｘ００３の公共３ＶＬＡＮドメイン１５に属しているとする。
【００３１】
各ＶＬＡＮドメイン１１〜１５に所属するＶＬＡＮ網の内部では、それぞれＶＬＡＮを使用している。従って、各ＶＬＡＮ網２〜８の内部ではＶＬＡＮフレームを用いて通信が行われ、ＶＬＡＮ網から拡張ＶＬＡＮ網１へ送信されるＶＬＡＮフレームは、そのＶＬＡＮ網から拡張ＶＬＡＮ網１へ送信されるときにそれぞれのＶＬＡＮ網と拡張ＶＬＡＮ網１を相互に接続している中継器機により拡張ＶＬＡＮフレームに変換される。ただし、ＶＬＡＮ網８では、特定ＶＬＡＮ転送機器９においてＶＬＡＮフレームを拡張ＶＬＡＮフレームに変換している。
【００３２】
拡張ＶＬＡＮ網１における拡張ＶＬＡＮフレームの拡張ＶＬＡＮタグのＴＰＩＤは、０ｘ９１００であり、ＴＰＩＤフィールド４１に格納される。また、それぞれのＶＬＡＮ網２〜８におけるＶＬＡＮフレームのＶＬＡＮタグのＴＰＩＤは、０ｘ８１００であり、ＴＰＩＤフィールド３４に格納される。
【００３３】
以下、図１の拡張ＶＬＡＮ網１において、あるＶＬＡＮ網から他のＶＬＡＮ網へフレームが送信されたときの動作を、組み合わせ毎に説明していく。
【００３４】
Ａ社本店ＶＬＡＮ網２からＡ社支店ＶＬＡＮ網３にフレームを送信したとする。このとき送信されるフレームはＶＬＡＮフレームである。このＶＬＡＮフレームのＶＩＤフィールド３５にはＡ社ＶＬＡＮドメイン１１で設定されているＶＬＡＮのＶＩＤが格納される。ここでは、Ａ社ＶＬＡＮドメイン１１におけるＶＬＡＮのＶＩＤは０ｘ１１１であるとする。ＴＰＩＤフィールド３４には、０ｘ８１００が格納される。このＶＬＡＮフレームは、Ａ社本店ＶＬＡＮ網２において、Ａ社本店ＶＬＡＮ網２と拡張ＶＬＡＮ網１を相互に接続する図示しない中継器機によって拡張ＶＬＡＮタグが付加される。即ち、拡張ＶＩＤフィールド４２には０ｘ００Ａが格納され、ＴＰＩＤフィールド４１には０ｘ９１００が格納され、拡張ＶＬＡＮフレームとなる。この拡張ＶＬＡＮフレームは、拡張ＶＬＡＮ網１において拡張ＶＩＤの値が０ｘ００ＡのＡ社ＶＬＡＮドメイン１１が受信することができるフレームである。
【００３５】
この拡張ＶＬＡＮフレームは、Ａ社支店ＶＬＡＮ網３において拡張ＶＬＡＮ網１と相互接続を行う図示しない中継器機においてＶＬＡＮフレームに変換される。このＶＬＡＮフレームはＡ社支店ＶＬＡＮ網３においてＶＩＤが０ｘ１１１のネットワークにおいて受信することができるフレームである。従って、Ａ社本店ＶＬＡＮ網２から送信したＶＬＡＮフレームがＡ社支店ＶＬＡＮ網３で受信できることになる。仮にＢ社ＶＬＡＮドメイン１２においてＶＬＡＮのＶＩＤとして０ｘ１１１が使用されていたとしても、そのＶＩＤは拡張ＶＬＡＮ網１での拡張ＶＩＤとは無関係であるから、重複の問題は生じない。また、Ａ社ＶＬＡＮドメイン１１とＢ社ＶＬＡＮドメイン１２は、拡張ＶＬＡＮ網１において異なる拡張ＶＩＤが割り当てられているので、相互に通信することはできない。
【００３６】
この拡張ＶＬＡＮ網１では、Ａ社ＶＬＡＮドメイン１１、Ｂ社ＶＬＡＮドメイン１２のＶＬＡＮ網２〜４から公共ＶＬＡＮ網６〜８へＶＬＡＮフレームを送信する場合、Ａ社ＶＬＡＮドメイン１１、Ｂ社ＶＬＡＮドメイン１２に属するそれぞれのＶＬＡＮ網２〜４から送信されるＶＬＡＮフレームのＶＩＤフィールド３５には予め決められた値を格納することが決まっているものとする。この実施の形態では、公共１ＶＬＡＮ網６へフレームを送信する場合は、それぞれのＶＬＡＮ網２〜４から送信されるＶＬＡＮフレームのＶＩＤフィールド３５に０ｘＦＦ１を格納することが決まっているものとする。また、公共２ＶＬＡＮ網７へフレームを送信する場合は、ＶＬＡＮフレームのＶＩＤフィールド３５に０ｘＦＦ２を格納し、公共３ＶＬＡＮ網８へフレームを送信する場合は、ＶＬＡＮフレームのＶＩＤフィールド３５に０ｘＦＦ３を格納することが決まっているものとする。
【００３７】
特定ＶＬＡＮ転送機器９は、受信した拡張ＶＬＡＮフレームのＶＩＤフィールド３５に格納されているＶＩＤから、そのフレームを転送する公共ＶＬＡＮドメインを決めるための特定ＶＩＤテーブルを保持している。特定ＶＬＡＮ転送機器９は、その特定ＶＩＤテーブルを参照し、受信した拡張ＶＬＡＮフレームを転送する公共ＶＬＡＮドメインを決定する。この実施の形態では、ＶＩＤフィールド３５の値が０ｘＦＦ２の拡張ＶＬＡＮフレームは公共２ＶＬＡＮドメイン１４へ、ＶＩＤフィールド３５の値が０ｘＦＦ３の拡張ＶＬＡＮフレームは公共３ＶＬＡＮドメイン１５へ転送するということが特定ＶＩＤテーブルに登録されているものとする。
【００３８】
Ａ社本店ＶＬＡＮ網２から公共１ＶＬＡＮ網６にＶＬＡＮフレームを送信したとする。このとき、Ａ社本店ＶＬＡＮ網２から送信されたＶＬＡＮフレームのＶＩＤフィールド３５には０ｘＦＦ１が格納される。拡張ＶＬＡＮ網１では、このＶＬＡＮフレームに拡張ＶＬＡＮタグが付加される。即ち、拡張ＶＩＤフィールド４２には０ｘ００Ａが格納され、ＴＰＩＤフィールド４１には０ｘ９１００が格納され、拡張ＶＬＡＮフレームとなる。
【００３９】
この拡張ＶＬＡＮフレームは、拡張ＶＬＡＮ網１において特定ＶＬＡＮ転送機器９のポート＃１に到着する。特定ＶＬＡＮ転送機器９は上記のテーブルを参照し、受信した拡張ＶＬＡＮフレームを公共１ＶＬＡＮドメイン１３に転送することを決定する。従って、Ａ社本店ＶＬＡＮ網２から送信されたＶＬＡＮフレームは、特定ＶＬＡＮ転送機器９において、拡張ＶＩＤフィールド４２に公共１ＶＬＡＮドメイン１３の拡張ＶＩＤの値０ｘ００１が格納され、ＶＩＤフィールド３５には０ｘ００Ａが格納され、ポート＃２から拡張ＶＬＡＮ網１に送信される。その際、拡張ＶＬＡＮフレーム末尾のチェックコードが再計算されてから送信される。ポート＃２から送信された拡張ＶＬＡＮフレームは、拡張ＶＬＡＮ網１において拡張ＶＩＤが０ｘ００１に設定されている公共１ＶＬＡＮドメイン１３が受信することができる拡張ＶＬＡＮフレームであり、拡張ＶＬＡＮタグが取り外されると公共１ＶＬＡＮドメイン１３において公共１ＶＬＡＮ網６が受信できるＶＬＡＮフレームである。以上より、Ａ社本店ＶＬＡＮ網２から送信されたフレームが公共１ＶＬＡＮ網６において受信される。
【００４０】
Ａ社支店ＶＬＡＮ網３から公共１ＶＬＡＮ網６へＶＬＡＮフレームを送信したとする。この場合も上記と同じ処理が行われる。すなわち、Ａ社支店ＶＬＡＮ網３から送信されたＶＬＡＮフレームのＶＩＤフィールド３５には０ｘＦＦ１が格納され、拡張ＶＬＡＮ網１で拡張ＶＬＡＮタグが付加され、拡張ＶＩＤフィールド４２には０ｘ００Ａが格納される。この拡張ＶＬＡＮフレームは、特定ＶＬＡＮ転送機器９のポート＃１に到着し、拡張ＶＩＤフィールド４２に０ｘ００１が格納され、ＶＩＤフィールド３５には０ｘ００Ａが格納され、拡張ＶＬＡＮフレーム末尾のチェックコードが再計算されてから、ポート＃２から拡張ＶＬＡＮ網１に送信される。従って、この拡張ＶＬＡＮフレームは、拡張ＶＬＡＮ網１において拡張ＶＩＤが０ｘ００１に設定されている公共１ＶＬＡＮドメイン１３において受信され、さらに公共１ＶＬＡＮ網６において受信される。
【００４１】
Ｂ社本店ＶＬＡＮ網４若しくはＢ社支店ＶＬＡＮ網５のそれぞれから公共１ＶＬＡＮ網６にＶＬＡＮフレームを送信したとする。この場合もそれぞれのＶＬＡＮ網４，５から送信されるＶＬＡＮフレームのＶＩＤフィールド３５には０ｘＦＦ１が格納される。拡張ＶＬＡＮ網１では、拡張ＶＬＡＮタグが付加され、拡張ＶＩＤフィールド４２には０ｘ００Ｂが格納される。この拡張ＶＬＡＮフレームは、特定ＶＬＡＮ転送機器９のポート＃１に到着し、拡張ＶＩＤフィールド４２に０ｘ００１が格納され、ＶＩＤフィールド３５には０ｘ００Ｂが格納され、拡張ＶＬＡＮフレーム末尾のチェックコードが再計算されてから、ポート＃２から拡張ＶＬＡＮ網１に送信される。従って、この拡張ＶＬＡＮフレームは、拡張ＶＬＡＮ網１において拡張ＶＩＤが０ｘ００１に設定されている公共１ＶＬＡＮドメイン１３において受信され、さらに公共１ＶＬＡＮ網６において受信される。
【００４２】
Ａ社本店ＶＬＡＮ網２、Ａ社支店ＶＬＡＮ網３、Ｂ社本店ＶＬＡＮ網４、Ｂ社支店ＶＬＡＮ網５のそれぞれから公共２ＶＬＡＮ網７にＶＬＡＮフレームを送信したとする。それぞれのＶＬＡＮ網２〜５から送信されたＶＬＡＮフレームのＶＩＤフィールド３５には０ｘＦＦ２が格納される。さらに、拡張ＶＬＡＮ網１において、拡張ＶＬＡＮタグが付加される。即ち、Ａ社本店ＶＬＡＮ網２とＡ社支店ＶＬＡＮ網３から送信されたＶＬＡＮフレームに対しては拡張ＶＩＤフィールド４２に０ｘ００Ａが格納され、Ｂ社本店ＶＬＡＮ網４とＢ社支店ＶＬＡＮ網５から送信されたＶＬＡＮフレームに対しては拡張ＶＩＤフィールド４２に０ｘ００Ｂが格納される。
【００４３】
これらの拡張ＶＬＡＮフレームは、特定ＶＬＡＮ転送機器９のポート＃１に到着し、ＶＩＤフィールド３５には０ｘＦＦ２が格納されているため公共２ＶＬＡＮ網７に転送される。従って、Ａ社本店ＶＬＡＮ網２若しくはＡ社支店ＶＬＡＮ網３から送信されたＶＬＡＮフレームは、拡張ＶＩＤフィールド４２に０ｘ００２が格納され、ＶＩＤフィールド３５には０ｘ００Ａが格納され、拡張ＶＬＡＮフレーム末尾のチェックコードが再計算された拡張ＶＬＡＮフレームとしてポート＃２から拡張ＶＬＡＮ網１へ送信される。また、Ｂ社本店ＶＬＡＮ網４若しくはＢ社支店ＶＬＡＮ網５から送信されたＶＬＡＮフレームは、拡張ＶＩＤフィールド４２に０ｘ００２が格納され、ＶＩＤフィールド３５には０ｘ００Ｂが格納され、拡張ＶＬＡＮフレーム末尾のチェックコードが再計算された拡張ＶＬＡＮフレームとしてポート＃２から拡張ＶＬＡＮ網１へ送信される。ポート＃２から送信されたこれらの拡張ＶＬＡＮフレームは、拡張ＶＬＡＮ網１において拡張ＶＩＤが０ｘ００２に設定されている公共２ＶＬＡＮドメイン１４において受信され、さらに、拡張ＶＬＡＮタグが取り外され公共２ＶＬＡＮ網７において受信される。
【００４４】
Ａ社本店ＶＬＡＮ網２、Ａ社支店ＶＬＡＮ網３、Ｂ社本店ＶＬＡＮ網４、Ｂ社支店ＶＬＡＮ網５のそれぞれから公共３ＶＬＡＮ網８にＶＬＡＮフレームを送信したとする。それぞれのＶＬＡＮ網２〜５から送信されたＶＬＡＮフレームのＶＩＤフィールド３５には０ｘＦＦ３が格納される。さらに、拡張ＶＬＡＮ網１において、拡張ＶＬＡＮタグが付加される。即ち、Ａ社本店ＶＬＡＮ網２とＡ社支店ＶＬＡＮ網３から送信されたＶＬＡＮフレームに対しては拡張ＶＩＤフィールド４２に０ｘ００Ａが格納され、Ｂ社本店ＶＬＡＮ網４とＢ社支店ＶＬＡＮ網５から送信されたＶＬＡＮフレームに対しては拡張ＶＩＤフィールド４２に０ｘ００Ｂが格納される。
【００４５】
これらの拡張ＶＬＡＮフレームは、特定ＶＬＡＮ転送機器９のポート＃１に到着し、ＶＩＤフィールド３５には０ｘＦＦ３が格納されているため公共３ＶＬＡＮドメイン１５に転送される。従って、Ａ社本店ＶＬＡＮ網２若しくはＡ社支店ＶＬＡＮ網３から送信されたＶＬＡＮフレームは、ＶＩＤフィールド３５に０ｘ００Ａが格納されＶＬＡＮフレーム末尾のチェックコードが再計算されたＶＬＡＮフレームとなる。また、Ｂ社本店ＶＬＡＮ網４若しくはＢ社支店ＶＬＡＮ網５から送信されたＶＬＡＮフレームは、ＶＩＤフィールド３５に０ｘ００Ｂが格納されＶＬＡＮフレーム末尾のチェックコードが再計算されたＶＬＡＮフレームとなる。ポート＃３から送信されたこれらのＶＬＡＮフレームは、公共３ＶＬＡＮドメイン１５において受信され、さらに、公共３ＶＬＡＮ網８において受信される。
【００４６】
この拡張ＶＬＡＮ網において、特定ＶＬＡＮ転送機器９は、公共ＶＬＡＮ網６〜８から送信されたＶＬＡＮフレームを受信した場合、そのＶＬＡＮフレームのＶＩＤフィールド３５の値に応じたＶＬＡＮドメイン１１〜１５に転送する。従って、公共ＶＬＡＮ網６〜８から送信されたＶＬＡＮフレームのＶＩＤフィールド３５の値を拡張ＶＩＤフィールド４２に格納する。このときＶＩＤフィールド３５に格納する値は、Ａ社ＶＬＡＮドメイン１１とＢ社ＶＬＡＮドメイン１２のそれぞれから各公共ＶＬＡＮドメイン１３〜１５へフレームを転送する際に参照した特定ＶＩＤテーブルから決定される。即ち、公共１ＶＬＡＮドメイン１３から受信したＶＬＡＮフレームはＶＩＤフィールド３５に０ｘＦＦ１が格納され、公共２ＶＬＡＮドメイン１４から受信したＶＬＡＮフレームはＶＩＤフィールド３５に０ｘＦＦ２が格納され、公共３ＶＬＡＮドメイン１５から受信したＶＬＡＮフレームはＶＩＤフィールド３５に０ｘＦＦ３が格納される。
【００４７】
公共１ＶＬＡＮ網６からＡ社本店ＶＬＡＮ網２へフレームが送信されたとする。このフレームの拡張ＶＩＤフィールド４２には０ｘ００１が格納され、ＶＩＤフィールド３５には０ｘ００Ａが格納される。この拡張ＶＬＡＮフレームは特定ＶＬＡＮ転送機器９のポート＃２に到着する。公共１ＶＬＡＮドメイン１３から受信したこの拡張ＶＬＡＮフレームは、特定ＶＬＡＮ転送機器９において拡張ＶＩＤフィールド４２に０ｘ００Ａが格納され、ＶＩＤフィールド３５に０ｘＦＦ１が格納され、拡張ＶＬＡＮフレーム末尾のチェックコードが再計算され、ポート＃１から拡張ＶＬＡＮ網１へ送信される。ポート＃１から送信されたこの拡張ＶＬＡＮフレームは、拡張ＶＬＡＮ網１において拡張ＶＩＤが０ｘ００ＡのＡ社ＶＬＡＮドメイン１１が受信することのできる拡張ＶＬＡＮフレームである。さらに、この拡張ＶＬＡＮフレームは、拡張ＶＬＡＮタグを取り外すとＡ社本店ＶＬＡＮ網２においてＶＩＤが０ｘＦＦ１であるＶＬＡＮで受信することのできるＶＬＡＮフレームである。従って、公共１ＶＬＡＮ網６から送信したフレームがＡ社本店ＶＬＡＮ網２で受信される。
【００４８】
公共１ＶＬＡＮ網６からＡ社支店ＶＬＡＮ網３へフレームが送信されたとする。この場合も上記と同様の処理が行われる。公共１ＶＬＡＮ網６から送信された拡張ＶＬＡＮフレームは、拡張ＶＩＤフィールド４２に０ｘ００１が格納され、ＶＩＤフィールド３５に０ｘ００Ａが格納される。この拡張ＶＬＡＮフレームは特定ＶＬＡＮ転送機器９のポート＃２に到着する。公共１ＶＬＡＮドメイン１３から受信したこの拡張ＶＬＡＮフレームは、特定ＶＬＡＮ転送機器９において、拡張ＶＩＤフィールド４２に０ｘ００Ａが格納され、ＶＩＤフィールド３５に０ｘＦＦ１が格納されて、拡張ＶＬＡＮフレーム末尾のチェックコードが再計算され、ポート＃１から拡張ＶＬＡＮ網１へ送信される。ポート＃１から送信されたこの拡張ＶＬＡＮフレームは、拡張ＶＬＡＮ網１において拡張ＶＩＤが０ｘ００ＡのＡ社ＶＬＡＮドメイン１１が受信することのできる拡張ＶＬＡＮフレームである。さらに、この拡張ＶＬＡＮフレームは、拡張ＶＬＡＮタグを取り外すとＡ社支店ＶＬＡＮ網３においてＶＩＤが０ｘＦＦ１であるＶＬＡＮで受信することのできるＶＬＡＮフレームである。従って、公共１ＶＬＡＮ網６から送信したＶＬＡＮフレームがＡ社支店ＶＬＡＮ網３で受信される。
【００４９】
公共１ＶＬＡＮ網６からＢ社本店ＶＬＡＮ網４若しくはＢ社支店ＶＬＡＮ網５へＶＬＡＮフレームが送信されたとする。送信されたＶＬＡＮフレームは、拡張ＶＬＡＮ網において拡張ＶＩＤフィールド４２に０ｘ００１が格納され、ＶＩＤフィールド３５に０ｘ００Ｂが格納される。この拡張ＶＬＡＮフレームは特定ＶＬＡＮ転送機器９のポート＃２に到着する。公共１ＶＬＡＮドメイン１３から受信したこの拡張ＶＬＡＮフレームは、特定ＶＬＡＮ転送機器９において、拡張ＶＩＤフィールド４２に０ｘ００Ｂが格納され、ＶＩＤフィールド３５に０ｘＦＦ１が格納されて、拡張ＶＬＡＮフレーム末尾のチェックコードが再計算され、ポート＃１から拡張ＶＬＡＮ網１へ送信される。ポート＃１から送信されたこの拡張ＶＬＡＮフレームは、拡張ＶＬＡＮ網１において拡張ＶＩＤが０ｘ００ＢのＢ社ＶＬＡＮドメイン１２が受信することのできる拡張ＶＬＡＮフレームである。さらに、この拡張ＶＬＡＮフレームは、拡張ＶＬＡＮタグを取り外すとＢ社支店ＶＬＡＮ網４、Ｂ社支店ＶＬＡＮ網５においてＶＩＤが０ｘＦＦ２であるＶＬＡＮで受信することのできるＶＬＡＮフレームである。従って、公共１ＶＬＡＮ網６から送信したフレームがＢ社本店ＶＬＡＮ網４若しくはＢ社支店ＶＬＡＮ網５で受信される。
【００５０】
公共２ＶＬＡＮ網７からＡ社本店ＶＬＡＮ網２若しくはＡ社支店ＶＬＡＮ網３へＶＬＡＮフレームが送信されたとする。送信されたＶＬＡＮフレームは、拡張ＶＬＡＮ網において拡張ＶＩＤフィールド４２に０ｘ００２が格納され、ＶＩＤフィールド３５に０ｘ００Ａが格納される。この拡張ＶＬＡＮフレームは特定ＶＬＡＮ転送機器９のポート＃２に到着する。公共２ＶＬＡＮドメイン１４から受信したこの拡張ＶＬＡＮフレームは、特定ＶＬＡＮ転送機器９において拡張ＶＩＤフィールド４２に０ｘ００Ａが格納され、ＶＩＤフィールド３５に０ｘＦＦ２が格納されて、拡張ＶＬＡＮフレーム末尾のチェックコードが再計算され、ポート＃１から拡張ＶＬＡＮ網１へ送信される。従って、公共２ＶＬＡＮ網７から送信したＶＬＡＮフレームがＡ社本店ＶＬＡＮ網２若しくはＡ社支店ＶＬＡＮ網３で受信される。
【００５１】
公共２ＶＬＡＮ網７からＢ社本店ＶＬＡＮ網４若しくはＢ社支店ＶＬＡＮ網５へＶＬＡＮフレームが送信されたとする。送信されたＶＬＡＮフレームは、拡張ＶＬＡＮ網において拡張ＶＩＤフィールド４２に０ｘ００２が格納され、ＶＩＤフィールド３５に０ｘ００Ｂが格納される。この拡張ＶＬＡＮフレームは特定ＶＬＡＮ転送機器９のポート＃２に到着する。公共２ＶＬＡＮドメイン１４から受信したこの拡張ＶＬＡＮフレームは、特定ＶＬＡＮ転送機器９において拡張ＶＩＤフィールド４２に０ｘ００Ｂが格納され、ＶＩＤフィールド３５に０ｘＦＦ２が格納されて、拡張ＶＬＡＮフレーム末尾のチェックコードが再計算され、ポート＃１から拡張ＶＬＡＮ網１へ送信される。従って、公共２ＶＬＡＮ網７から送信したＶＬＡＮフレームがＢ社本店ＶＬＡＮ網４若しくはＢ社支店ＶＬＡＮ網５で受信される。
【００５２】
公共３ＶＬＡＮ網８からＡ社本店ＶＬＡＮ網２若しくはＡ社支店ＶＬＡＮ網３へＶＬＡＮフレームが送信されたとする。このフレームは、ＶＩＤフィールド３５に０ｘ００Ａが格納されたＶＬＡＮフレームとして特定ＶＬＡＮ転送機器９のポート＃３に到着する。特定ＶＬＡＮ転送機器９は、ポートに接続されている公共ＶＬＡＮドメインを登録したテーブルを保持しており、このフレームが公共３ＶＬＡＮドメイン１５から送信されたＶＬＡＮフレームであるということを識別することができる。従って、特定ＶＬＡＮ転送機器９において、このフレームは拡張ＶＬＡＮタグが付加され、拡張ＶＩＤフィールド４２には０ｘ００Ａが格納される。さらに、ＶＩＤフィールド３５には０ｘＦＦ３が格納され、拡張ＶＬＡＮフレーム末尾のチェックコードが再計算され、このフレームがポート＃１から拡張ＶＬＡＮ網１へ送信される。以上より、公共３ＶＬＡＮ網８から送信したＶＬＡＮフレームがＡ社本店ＶＬＡＮ網２若しくはＡ社支店ＶＬＡＮ網３で受信される。
【００５３】
公共３ＶＬＡＮ網８からＢ社本店ＶＬＡＮ網４若しくはＢ社支店ＶＬＡＮ網５へＶＬＡＮフレームが送信されたとする。このフレームは、ＶＩＤフィールド３５に０ｘ００Ｂが格納されたＶＬＡＮフレームとして特定ＶＬＡＮ転送機器９のポート＃３に到着する。特定ＶＬＡＮ転送機器９は、ポートに接続されている公共ＶＬＡＮドメインを登録したテーブルを保持しており、このフレームが公共３ＶＬＡＮドメイン１５から送信されたＶＬＡＮフレームであるということを識別することができる。従って、特定ＶＬＡＮ転送機器９において、このフレームは拡張ＶＬＡＮタグが付加され、拡張ＶＩＤフィールド４２には０ｘ００Ｂが格納される。さらに、ＶＩＤフィールド３５には０ｘＦＦ３が格納され、拡張ＶＬＡＮフレーム末尾のチェックコードが再計算され、このフレームがポート＃１から拡張ＶＬＡＮ網１へ送信される。以上より、公共３ＶＬＡＮ網８から送信したＶＬＡＮフレームがＢ社本店ＶＬＡＮ網４若しくはＢ社支店ＶＬＡＮ網５で受信される。
【００５４】
次に、特定ＶＬＡＮ転送機器９が保持しているテーブルについて説明する。特定ＶＬＡＮ転送機器９は、図２（ａ）〜図２（ｄ）に示すようなテーブルを保持している。図２（ａ）のテーブルは、ＶＩＤフィールド３５の値、即ち、ＶＩＤとフレームを転送する公共ＶＬＡＮドメイン１３〜１５の拡張ＶＩＤとを関係付けて記憶したもので、特定ＶＩＤテーブルと呼ぶ。
【００５５】
図２（ｂ）のテーブルは、ＶＬＡＮドメイン１１，１２毎の公共ＶＬＡＮドメイン１３〜１５への転送の有無を記憶したもので、転送可否テーブルと呼ぶ。組織のＶＬＡＮドメインの行と公共ＶＬＡＮドメインの列が交わる欄の値が「１」なら、その組織のＶＬＡＮドメインと公共ＶＬＡＮドメインとの間でフレームが転送されることを表し、上記欄の値が「０」なら、その組織のＶＬＡＮドメインと公共ＶＬＡＮドメインとの間でフレームが転送されないことを表す。
【００５６】
図２（ｃ）のテーブルは、特定ＶＬＡＮ転送機器９のポートが属する拡張ＶＩＤと、そのポートで送受信されるフレームの形式とを記憶したもので、ポート所属・フレーム形式テーブルと呼ぶ。ポートの番号の列と拡張ＶＩＤの行とが交わる欄の値が「タグ」なら、ポートがその拡張ＶＩＤに属し、そのポートで送受信されるフレームが拡張ＶＬＡＮフレームであるということを表している。上記欄の値が「アンタグ」なら、ポートがその拡張ＶＩＤに属し、そのポートで送受信されるフレームがＶＬＡＮフレームであるということを表している。上記欄の値が「−」なら、ポートがその拡張ＶＩＤに属さないことを表している。
【００５７】
図２（ｄ）のテーブルは、特定ＶＬＡＮ転送機器９が送受信するフレームがＶＬＡＮフレームであるポートについて、受信したフレームを拡張ＶＬＡＮフレームに変換するときに拡張ＶＬＡＮとして付加する拡張ＶＩＤを記憶したもので、付加用拡張ＶＩＤテーブルと呼ぶ。例えば、ポート＃３から送信する拡張ＶＬＡＮフレームには拡張ＶＩＤとして０ｘ００３が格納される。
【００５８】
図２のテーブルを特定ＶＬＡＮ転送機器９におけるフレーム転送の手順に適応すると、動作は以下のようになる。
【００５９】
Ａ社本店ＶＬＡＮ網２若しくはＡ社支店ＶＬＡＮ網３から公共１ＶＬＡＮ網６へＶＬＡＮフレームを送信したとする。このフレームは、拡張ＶＩＤフィールド４２に０ｘ００Ａが格納され、ＶＩＤフィールド３５に０ｘＦＦ１が格納される。この拡張ＶＬＡＮフレームは特定ＶＬＡＮ転送機器９のポート＃１に到着する。特定ＶＬＡＮ転送機器９は、図２（ａ）の特定ＶＩＤテーブルを参照し、このフレームを拡張ＶＬＡＮ網１における拡張ＶＩＤが０ｘ００１の公共１ＶＬＡＮドメイン１３に転送するように設定する。また、特定ＶＬＡＮ転送機器９は、図２（ｂ）の転送可否テーブルを参照し、拡張ＶＬＡＮ網１における拡張ＶＩＤが０ｘ００ＡのＡ社ＶＬＡＮドメイン１１から受信したフレームを拡張ＶＬＡＮ網１における拡張ＶＩＤが０ｘ００１の公共１ＶＬＡＮドメイン１３に転送するということを決定する。従って、このフレームは拡張ＶＩＤフィールド４２に０ｘ００１が格納され、ＶＩＤフィールド３５に０ｘ００Ａが格納される。特定ＶＬＡＮ転送機器９は、図２（ｃ）のポート所属・フレーム形式テーブルを参照することにより、このフレームを拡張ＶＬＡＮフレームとして拡張ＶＬＡＮ網１へ送信する。この拡張ＶＬＡＮフレームが公共１ＶＬＡＮドメイン１３において受信され、さらに公共１ＶＬＡＮ網６において受信される。
【００６０】
Ａ社本店ＶＬＡＮ網２若しくはＡ社支店ＶＬＡＮ網３から公共２ＶＬＡＮ網７へＶＬＡＮフレームを送信したとする。このＶＬＡＮフレームは、拡張ＶＬＡＮ網において拡張ＶＩＤフィールド４２に０ｘ００Ａが格納され、ＶＩＤフィールド３５に０ｘＦＦ２が格納される。この拡張ＶＬＡＮフレームは特定ＶＬＡＮ転送機器９のポート＃１に到着する。特定ＶＬＡＮ転送機器９は、上記と同様に図２（ａ）の特定ＶＩＤテーブルを参照し、拡張ＶＩＤフィールド４２に０ｘ００２が格納され、ＶＩＤフィールド３５に０ｘ００Ａが格納された拡張ＶＬＡＮフレームをポート＃２から拡張ＶＬＡＮ網１へ送信する。従って、この拡張ＶＬＡＮフレームが公共２ＶＬＡＮドメイン１４において受信され、さらに公共２ＶＬＡＮ網７において受信される。
【００６１】
Ａ社本店ＶＬＡＮ網２若しくはＡ社支店ＶＬＡＮ網３から公共３ＶＬＡＮ網８へＶＬＡＮフレームを送信したとする。このＶＬＡＮフレームは、拡張ＶＬＡＮ網において拡張ＶＩＤフィールド４２に０ｘ００Ａが格納され、ＶＩＤフィールド３５に０ｘＦＦ３が格納される。この拡張ＶＬＡＮフレームは特定ＶＬＡＮ転送機器９のポート＃１に到着し、上記と同様に図２（ａ）の特定ＶＩＤテーブルに従い、拡張ＶＩＤフィールド４２に０ｘ００３が格納され、ＶＩＤフィールド３５に０ｘ００Ａが格納される。このとき図２（ｃ）のポート所属・フレーム形式テーブルに、ポート＃３において送信されるフレームはＶＬＡＮフレームであるということが設定されているので、特定ＶＬＡＮ転送機器９において拡張ＶＬＡＮタグが取り外され、ＶＩＤフィールド３５に０ｘ００Ａが格納されたＶＬＡＮフレームが公共３ＶＬＡＮドメイン１５へ送信される。従って、このＶＬＡＮフレームが公共３ＶＬＡＮドメイン１５において受信され、さらに、公共３ＶＬＡＮ網８において受信される。
【００６２】
Ｂ社本店ＶＬＡＮ網４若しくはＢ社支店ＶＬＡＮ網５から公共１ＶＬＡＮ網６へフレームを送信したとする。このフレームは、拡張ＶＬＡＮ網において拡張ＶＩＤフィールド４２に０ｘ００Ｂが格納され、ＶＩＤフィールド３５に０ｘＦＦ１が格納される。この拡張ＶＬＡＮフレームは特定ＶＬＡＮ転送機器９のポート＃１に到着する。特定ＶＬＡＮ転送機器９は、上記と同様に図２（ａ）の特定ＶＩＤテーブルを参照し、拡張ＶＩＤフィールド４２に０ｘ００１が格納され、ＶＩＤフィールド３５に０ｘ００Ｂが格納された拡張ＶＬＡＮフレームをポート＃２から拡張ＶＬＡＮ網１へ送信する。従って、この拡張ＶＬＡＮフレームが公共１ＶＬＡＮドメイン１３において受信され、さらに公共１ＶＬＡＮ網６において受信される。
【００６３】
Ｂ社本店ＶＬＡＮ網４若しくはＢ社支店ＶＬＡＮ網５から公共２ＶＬＡＮ網７へＶＬＡＮフレームを送信したとする。このＶＬＡＮフレームは、拡張ＶＬＡＮ網において拡張ＶＩＤフィールド４２に０ｘ００Ｂが格納され、ＶＩＤフィールド３５に０ｘＦＦ２が格納される。この拡張ＶＬＡＮフレームは特定ＶＬＡＮ転送機器９のポート＃１に到着する。特定ＶＬＡＮ転送機器９は、図２（ａ）の特定ＶＩＤテーブルを参照し、このフレームを拡張ＶＩＤが０ｘ００２の公共２ＶＬＡＮドメイン１４に転送するように設定する。しかし、特定ＶＬＡＮ転送機器９は、図２（ｂ）の転送可否テーブルを参照し、拡張ＶＬＡＮ網１における拡張ＶＩＤが０ｘ００ＢのＢ社ＶＬＡＮドメイン１２から受信したフレームは拡張ＶＬＡＮ網１における拡張ＶＩＤが０ｘ００２の公共２ＶＬＡＮドメイン１４へ転送しないということを決定する。従って、このフレームは特定ＶＬＡＮ転送機器９において廃棄される。
【００６４】
Ｂ社本店ＶＬＡＮ網４若しくはＢ社支店ＶＬＡＮ網５から公共３ＶＬＡＮ網８へＶＬＡＮフレームを送信したとする。このＶＬＡＮフレームは、拡張ＶＬＡＮ網において拡張ＶＩＤフィールド４２に０ｘ００Ｂが格納され、ＶＩＤフィールド３５に０ｘＦＦ３が格納される。この拡張ＶＬＡＮフレームは特定ＶＬＡＮ転送機器９のポート＃１に到着する。特定ＶＬＡＮ転送機器９は、図２（ａ）の特定ＶＩＤテーブルを参照し、このフレームを拡張ＶＩＤが０ｘ００３の公共３ＶＬＡＮドメイン１５に転送するように設定する。しかし、特定ＶＬＡＮ転送機器９は、図２（ｂ）の転送可否テーブルを参照し、拡張ＶＬＡＮ網１における拡張ＶＩＤが０ｘ００ＢのＢ社ＶＬＡＮドメイン１２から受信した拡張ＶＬＡＮフレームは拡張ＶＬＡＮ網１における拡張ＶＩＤが０ｘ００３の公共３ＶＬＡＮドメイン１５へ転送しないということを決定する。従って、このフレームは特定ＶＬＡＮ転送機器９において廃棄される。
【００６５】
次に、公共１ＶＬＡＮ網６からＡ社本店ＶＬＡＮ網２若しくはＡ社支店ＶＬＡＮ網３へＶＬＡＮフレームが送信されたとする。このＶＬＡＮフレームは拡張ＶＬＡＮ網において拡張ＶＩＤフィールド４２には０ｘ００１が格納され、ＶＩＤフィールド３５には０ｘ００Ａが格納される。この拡張ＶＬＡＮフレームは特定ＶＬＡＮ転送機器９のポート＃２に到着する。特定ＶＬＡＮ転送機器９は、図２（ｂ）の転送可否テーブルを参照し、拡張ＶＬＡＮ網１における拡張ＶＩＤが０ｘ００１の公共１ＶＬＡＮドメイン１３から受信したこの拡張ＶＬＡＮフレームを、拡張ＶＬＡＮ網１における拡張ＶＩＤが０ｘ００ＡのＡ社ＶＬＡＮドメイン１１に転送することを決定する。また、特定ＶＬＡＮ転送機器９は、図２（ａ）の特定ＶＩＤテーブルを参照し、拡張ＶＬＡＮ網１における拡張ＶＩＤが０ｘ００１の公共１ＶＬＡＮドメイン１３から受信したこのフレームを、Ａ社ＶＬＡＮドメイン１１に転送する際に、ＶＩＤフィールド３５に格納する値を０ｘＦＦ１に設定する。従って、この拡張ＶＬＡＮフレームは、拡張ＶＩＤフィールド４２に０ｘ００Ａが格納され、ＶＩＤフィールド３５に０ｘＦＦ１が格納される。特定ＶＬＡＮ転送機器９は、図２（ｃ）のポート所属・フレーム形式テーブルを参照することで、この拡張ＶＬＡＮフレームをポート＃１から拡張ＶＬＡＮ網１へ送信する。このフレームは、拡張ＶＬＡＮ網１においてＡ社ＶＬＡＮドメイン１１で受信され、さらに、Ａ社ＶＬＡＮドメイン１１の中で設定されているＶＬＡＮのＶＩＤが０ｘＦＦ１に属する機器で受信される。
【００６６】
公共２ＶＬＡＮ網７からＡ社本店ＶＬＡＮ網２若しくはＡ社支店ＶＬＡＮ網３へＶＬＡＮフレームが送信されたとする。このＶＬＡＮフレームは拡張ＶＬＡＮ網において拡張ＶＩＤフィールド４２には０ｘ００２が格納され、ＶＩＤフィールド３５には０ｘ００Ａが格納される。この拡張ＶＬＡＮフレームは特定ＶＬＡＮ転送機器９のポート＃２に到着する。特定ＶＬＡＮ転送機器９において上記と同様に図２（ａ），（ｂ）のテーブルが参照され、このフレームは拡張ＶＩＤフィールド４２に０ｘ００Ａが格納され、ＶＩＤフィールド３５に０ｘＦＦ２が格納される。この拡張ＶＬＡＮフレームは、特定ＶＬＡＮ転送機器９のポート＃１から拡張ＶＬＡＮフレームとして拡張ＶＬＡＮ網１へ送信される。このフレームは、拡張ＶＬＡＮ網１においてＡ社ＶＬＡＮドメイン１１において受信され、さらに、Ａ社ＶＬＡＮドメイン１１の中で設定されているＶＬＡＮのＶＩＤが０ｘＦＦ２に属する機器で受信される。
【００６７】
公共３ＶＬＡＮ網８からＡ社本店ＶＬＡＮ網２若しくはＡ社支店ＶＬＡＮ網３へＶＬＡＮフレームが送信されたとする。このフレームは、ＶＬＡＮフレームとしてＶＩＤフィールド３５に０ｘ００Ａが格納され特定ＶＬＡＮ転送機器９のポート＃３に到着する。特定ＶＬＡＮ転送機器９は、図２（ｄ）のテーブルを参照し、この受信したＶＬＡＮフレームに拡張ＶＬＡＮタグを付加し、ＶＩＤには０ｘ００３を格納する。すなわち、特定ＶＬＡＮ転送機器９において、図２（ａ），（ｂ）のテーブルが参照され、このフレームは拡張ＶＩＤフィールド４２に０ｘ００Ａが格納され、ＶＩＤフィールド３５に０ｘＦＦ３が格納され、ポート＃１から拡張ＶＬＡＮフレームとして拡張ＶＬＡＮ網１へ送信される。従ってこの拡張ＶＬＡＮフレームは、拡張ＶＬＡＮ網１においてＡ社ＶＬＡＮドメイン１１において受信され、さらに、Ａ社ＶＬＡＮドメイン１１の中で設定されているＶＬＡＮのＶＩＤが０ｘＦＦ３に属する機器で受信される。
【００６８】
公共１ＶＬＡＮ網６からＢ社本店ＶＬＡＮ網４若しくはＢ社支店ＶＬＡＮ網５へＶＬＡＮフレームが送信されたとする。このＶＬＡＮフレームは、拡張ＶＬＡＮ網において拡張ＶＩＤフィールド４２に０ｘ００１が格納され、ＶＩＤフィールド３５に０ｘ００Ｂが格納される。この拡張ＶＬＡＮフレームは特定ＶＬＡＮ転送機器９のポート＃２に到着する。特定ＶＬＡＮ転送機器９において、図２（ａ），（ｂ）のテーブルが参照され、このフレームは拡張ＶＩＤフィールド４２に０ｘ００Ｂが格納され、ＶＩＤフィールド３５に０ｘＦＦ１が格納され、ポート＃１から拡張ＶＬＡＮ網１へ送信される。この拡張ＶＬＡＮフレームは、拡張ＶＬＡＮ網１においてＢ社ＶＬＡＮドメイン１２において受信され、さらに、Ｂ社ＶＬＡＮドメイン１２の中で設定されているＶＬＡＮのＶＩＤが０ｘＦＦ１に属する機器で受信される。
【００６９】
公共２ＶＬＡＮ網７からＢ社本店ＶＬＡＮ網４若しくはＢ社支店ＶＬＡＮ網５へＶＬＡＮフレームが送信されたとする。このＶＬＡＮフレームは、拡張ＶＬＡＮ網において拡張ＶＩＤフィールド４２に０ｘ００２が格納され、ＶＩＤフィールド３５に０ｘ００Ｂが格納される。この拡張ＶＬＡＮフレームは特定ＶＬＡＮ転送機器９のポート＃２に到着する。そして、特定ＶＬＡＮ転送機器９において図２（ｂ）の転送可否テーブルが参照され、拡張ＶＬＡＮ網１における拡張ＶＩＤが０ｘ００２の公共２ＶＬＡＮドメイン１４から受信したこの拡張ＶＬＡＮフレームを拡張ＶＬＡＮ網１における拡張ＶＩＤが０ｘ００ＢのＢ社ＶＬＡＮドメイン１２に転送しないことを決定する。従って、このフレームは特定ＶＬＡＮ転送機器９において廃棄される。
【００７０】
公共３ＶＬＡＮ網８からＢ社本店ＶＬＡＮ網４若しくはＢ社支店ＶＬＡＮ網５へＶＬＡＮフレームが送信されたとする。このフレームは、ＶＩＤフィールド３５に０ｘ００Ｂが格納されたＶＬＡＮフレームとして特定ＶＬＡＮ転送機器９のポート＃３に到着する。特定ＶＬＡＮ転送機器９は、この受信したフレームに拡張ＶＬＡＮタグを付加し、拡張ＶＩＤフィールド４２には０ｘ００３を格納する。そして、特定ＶＬＡＮ転送機器９は、図２（ｂ）の転送可否テーブルを参照し、拡張ＶＬＡＮ網１における拡張ＶＩＤが０ｘ００３の公共３ＶＬＡＮドメイン１５から受信したこのフレームを拡張ＶＬＡＮ網１における拡張ＶＩＤが０ｘ００ＢのＢ社ＶＬＡＮドメイン１３に転送しないことを決定する。従って、このフレームは特定ＶＬＡＮ転送機器９において廃棄される。
【００７１】
以上、説明してきたように、従来の拡張ＶＬＡＮ網では、その拡張ＶＬＡＮで設定された拡張ＶＩＤが異なるＶＬＡＮドメイン同士は相互に通信できず、あるＶＬＡＮドメインをインターネットなどのサービスを提供する公共のＶＬＡＮドメインに接続するには、別途、回線を用意する必要があった。しかし、本発明では、拡張ＶＬＡＮ網１に収容されている各組織のＶＬＡＮドメインの内部で設定されているＶＬＡＮのうち特定のＶＬＡＮのＶＩＤを持つフレームを拡張ＶＩＤが異なる他のＶＬＡＮドメインにも転送することができ、この特定のＶＩＤに関してはＶＬＡＮドメインを公共のＶＬＡＮドメインに接続する場合にも、別途、回線を用意する必要がなくなる。
【００７２】
また、本発明では、既に構築・運用されている拡張ＶＬＡＮ網において使用している拡張ＶＩＤがそのまま継続して使用できるので、本発明の導入に際して設定変更などの余分な作業を必要としない。
【図面の簡単な説明】
【００７３】
【図１】本発明の特定仮想ＬＡＮ転送機器を利用した拡張ＶＬＡＮ網の構成図である。
【図２】本発明の特定仮想ＬＡＮ転送機器が備えるテーブルの図であり、（ａ）は特定ＶＩＤテーブル、（ｂ）は転送可否テーブル、（ｃ）はポート所属・フレーム形式テーブル、（ｄ）は付加拡張ＶＩＤテーブルを表す。
【図３】ＶＬＡＮフレームの主要部構造図である。
【図４】拡張ＶＬＡＮフレームの主要部構造図である。
【符号の説明】
【００７４】
１  拡張ＶＬＡＮ網
２  Ａ社本店ＶＬＡＮ網
３  Ａ社支店ＶＬＡＮ網
４  Ｂ社本店ＶＬＡＮ網
５  Ｂ社支店ＶＬＡＮ網
６  公共１ＶＬＡＮ網
７  公共２ＶＬＡＮ網
８  公共３ＶＬＡＮ網
９  特定仮想ＬＡＮ転送機器
１１  Ａ社ＶＬＡＮドメイン
１２  Ｂ社ＶＬＡＮドメイン
１３  公共１ＶＬＡＮドメイン
１４  公共２ＶＬＡＮドメイン
１５  公共３ＶＬＡＮドメイン
【図１】
2005151020.tif 000003
【図２】
2005151020.tif 000004
【図３】
2005151020.tif 000005
【図４】
2005151020.tif 000006